(57)【要約】【課題】界面活性剤として適した組成物を提供する。【解決手段】  本発明は、２種以上の一般式（Ｉ）の化合物を含む組成物、前記組成物を含む乾燥配合物又は液体配合物、及び前記組成物の洗濯処理における界面活性剤としての、又は抗灰色化剤としての使用方法に関する。【特許請求の範囲】
【請求項１】
２種以上の一般式（Ｉ）
【化１】
2020500252.tif 000023
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ前記２種以上の化合物はＲ及び／又はＧ１及び／又はｘが異なる）を含む組成物。
【請求項２】
一般式（Ｉ）において、Ｒが非置換の直鎖Ｃ１０〜Ｃ２０−アルキル、好ましくは非置換の直鎖Ｃ１０〜Ｃ１８−アルキル、さらにより好ましくは非置換の直鎖Ｃ１２〜Ｃ１８−アルキル、最も好ましくは非置換の直鎖Ｃ１２−アルキル、Ｃ１４−アルキル、Ｃ１６−アルキル及びＣ１８−アルキルの混合物である、請求項１に記載の組成物。
【請求項３】
一般式（Ｉ）において、Ｒが非置換の直鎖Ｃ１２−アルキル及びＣ１４−アルキルの混合物である、請求項１から２のいずれか一項に記載の組成物。
【請求項４】
一般式（Ｉ）において、Ｇ１がアラビノース及び／又はラムノース、又はＧ１がグルコース、アラビノース及びキシロースの混合物である、請求項１から３のいずれか一項に記載の組成物。
【請求項５】
一般式（Ｉ）において、ｘが１．０５〜２．５の範囲、及び好ましくは１．１０〜１．８の範囲にある、請求項１から４のいずれか一項に記載の組成物。
【請求項６】
一般式（Ｉ）において、Ｒが非置換の直鎖Ｃ１０〜Ｃ１８−アルキルであり、Ｇ１がアラビノース及び／又はラムノースであり、ｘが１．０５〜２．５の範囲にある、請求項１から５のいずれか一項に記載の組成物。
【請求項７】
一般式（Ｉ）において、Ｒが非置換の直鎖Ｃ１２〜Ｃ１８−アルキルであり、Ｇ１がアラビノース及び／又はラムノースであり、ｘが１．１０〜１．８の範囲にある、請求項１から４のいずれか一項に記載の組成物。
【請求項８】
前記２種以上の一般式（Ｉ）の化合物はＲが異なる、請求項１から７のいずれか一項に記載の組成物。
【請求項９】
請求項１から８のいずれか一項に定義する組成物を含む乾燥配合物又は液体配合物。
【請求項１０】
前記配合物が、アニオン性界面活性剤、非イオン性界面活性剤、カチオン性界面活性剤、両性界面活性剤、酵素、漂白剤、過酸素化合物（peroxygen compounds）、蛍光増白剤、錯化剤、ポリマー、例えばポリカルボキシレート、セッケン、シリコン系消泡剤、漂白剤、着色剤、染料移行防止剤及びそれらの混合物を含む群から選択される添加剤をさらに含む、請求項９に記載の乾燥配合物又は液体配合物。
【請求項１１】
前記配合物が、単回用量の配合物、又は６００ｇ／ｌを超える嵩密度を有する高濃度の粉末配合物である、請求項９又は１０に記載の乾燥配合物又は液体配合物。
【請求項１２】
請求項１から８のいずれか一項に記載の２種以上の一般式（Ｉ）
【化２】
2020500252.tif 000024
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ前記２種以上の化合物はＲ及び／又はＧ１及び／又はｘが異なる）を含む組成物を、界面活性剤として使用する方法。
【請求項１３】
前記組成物を、洗濯処理における界面活性剤として使用する、請求項１２に記載の使用方法。
【請求項１４】
請求項１から８のいずれか一項に記載の２種以上の一般式（Ｉ）
【化３】
2020500252.tif 000025
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ前記２種以上の化合物はＲ及び／又はＧ１及び／又はｘが異なる）を含む組成物を、洗濯処理における抗灰色化剤として使用する方法。
【発明の詳細な説明】
【技術分野】
【０００１】
本発明は、２種以上の一般式（Ｉ）の化合物を含む組成物、前記組成物を含む乾燥配合物又は液体配合物、及び前記組成物を界面活性剤として、又は抗灰色化剤（anti-greying agent）として、洗濯処理において使用する方法に関する。
【背景技術】
【０００２】
洗剤組成物は当該技術分野においてよく知られており、数多くの異なる課題に対処するために数多くの異なる方法で配合することができる。例えば、そのような組成物は、洗浄処理において遭遇する様々な課題に対処するための実に様々な化合物、例えばビルダー、蛍光増白剤、分散剤、酵素、香料、界面活性剤（アニオン性、非イオン性、カチオン性及び／又は両性）、セッケン、シリコン系消泡剤、漂白剤、着色剤、染料移行防止剤、錯化剤などを含み得る。さらに、そのような組成物は典型的には、それらが可能な限り広い範囲の汚れに対して効果的であるように配合される。この必要性は、その洗浄性能が広範囲で効果的な１種以上の薬剤を含む組成物の提供によって対処される。
【０００３】
しかしながら、洗濯物の洗浄処理中に生じる１つの特定の課題は、使用される界面活性剤が低用量では効率が不十分であり、それで大量の界面活性剤が典型的に必要とされることである。別の課題は、汚れの再沈着が典型的に起こり、それが布地の一般的な灰色化につながることである。汚れの再沈着を低減するために、特定の天然の又は修飾された多糖類、例えば気体又は液体のＳＯ２で処理された多糖類（例えば、ＷＯ２０１５／０９１１６０Ａ１参照）などが開発されており、洗濯配合物に添加することができる。しかしながら、そのような化合物の抗灰色化性能は、依然として十分ではない。
【０００４】
従って、前述の不利な点を回避し、特に、界面活性剤として高い効率をもたらす化合物又は組成物を提供することが、当該技術分野において継続的に必要とされている。さらに、洗浄した布地の灰色化を低減する化合物又は組成物を提供することが望ましい。それに加え、乾燥配合物又は液体配合物中に配合できる界面活性剤及び抗灰色化剤を提供することが望ましい。
【先行技術文献】
【特許文献】
【０００５】
【特許文献１】ＷＯ２０１５／０９１１６０Ａ１
【発明の概要】
【発明が解決しようとする課題】
【０００６】
よって、本発明の目的は、界面活性剤として使用できる化合物又は組成物を提供することである。さらに、洗濯した布地の灰色化を低減する化合物又は組成物を提供することが、本発明の目的である。本発明のさらなる目的は、乾燥配合物又は液体配合物中に使用できる化合物又は組成物を提供することである。本発明のよりさらなる目的は、洗浄配合物中に使用できる化合物又は組成物を提供することである。
【課題を解決するための手段】
【０００７】
発明の要約
前述の及び他の目的は、本発明の主題によって解決される。
【０００８】
本発明の第一の態様により、２種以上の一般式（Ｉ）
【化１】
2020500252.tif 000002
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ２種以上の化合物はＲ及び／又はＧ１及び／又はｘが異なる）を含む組成物を提供する。
【０００９】
発明者は、驚くべきことに、本明細書に定義する２種以上の一般式（Ｉ）の化合物を含む組成物が界面活性剤として高い効率を示し、よって界面活性剤として使用できることを見出した。さらに、本明細書に定義する２種以上の一般式（Ｉ）の化合物を含む組成物は、洗浄した布地の灰色化を低減し、よって抗灰色化剤として使用することができる。さらに、本明細書に定義する２種以上の一般式（Ｉ）の化合物を含む組成物は、乾燥配合物又は液体配合物中に配合することができる。
【００１０】
本発明のさらなる態様により、本明細書に定義する２種以上の一般式（Ｉ）の化合物を含む組成物を含む乾燥配合物又は液体配合物を提供する。一実施形態では、配合物は、アニオン性界面活性剤、非イオン性界面活性剤、カチオン性界面活性剤、両性界面活性剤、酵素、漂白剤、過酸素化合物（peroxygen compounds）、蛍光増白剤、錯化剤、ポリマー、例えばポリカルボキシレート、セッケン、シリコン系消泡剤、漂白剤、着色剤、染料移行防止剤及びそれらの混合物を含む群から選択される添加剤をさらに含む。別の実施形態では、配合物は、単回用量の配合物、又は６００ｇ／ｌを超える嵩密度を有する高濃度の粉末配合物である。
【００１１】
本発明のさらに別の態様により、本明細書に定義する２種以上の一般式（Ｉ）の化合物を含む組成物を、界面活性剤として使用する方法を提供する。好ましくは、本明細書に定義する２種以上の一般式（Ｉ）の化合物を含む組成物を、洗濯処理における界面活性剤として使用する。
【００１２】
本発明のなおさらなる態様により、本明細書に定義する２種以上の一般式（Ｉ）の化合物を含む組成物を、洗濯処理における抗灰色化剤として使用する方法を提供する。
【発明を実施するための形態】
【００１３】
一般式（Ｉ）の本発明の化合物の有利な実施形態を、対応する従属請求項に定義する。
【００１４】
一実施形態によれば、一般式（Ｉ）において、Ｒは非置換の直鎖Ｃ１０〜Ｃ２０−アルキル、好ましくは非置換の直鎖Ｃ１０〜Ｃ１８−アルキル、さらにより好ましくは非置換の直鎖Ｃ１２〜Ｃ１８−アルキル、及び最も好ましくは非置換の直鎖Ｃ１２−アルキル、Ｃ１４−アルキル、Ｃ１６−アルキル及びＣ１４−アルキルの混合物である。
【００１５】
別の実施形態によれば、一般式（Ｉ）において、Ｒは非置換の直鎖Ｃ１２−アルキル及びＣ１４−アルキルの混合物である。
【００１６】
さらに別の実施形態によれば、一般式（Ｉ）において、Ｇ１はアラビノース及び／又はラムノース、又はＧ１はグルコース、アラビノース及びキシロースの混合物である。
【００１７】
一実施形態によれば、一般式（Ｉ）において、ｘは１．０５〜２．５の範囲、及び好ましくは１．１０〜１．８の範囲にある。
【００１８】
別の実施形態によれば、一般式（Ｉ）において、Ｒは非置換の直鎖Ｃ１０〜Ｃ１８−アルキルであり、Ｇ１はアラビノース及び／又はラムノースであり、ｘは１．０５〜２．５の範囲にある。
【００１９】
さらに別の実施形態によれば、一般式（Ｉ）において、Ｒは非置換の直鎖Ｃ１２〜Ｃ１８−アルキルであり、Ｇ１はアラビノース及び／又はラムノースであり、ｘは１．１０〜１．８の範囲にある。
【００２０】
一実施形態によれば、２種以上の一般式（Ｉ）の化合物は、Ｒが異なる。
【００２１】
以下において、２種以上の一般式（Ｉ）の化合物を含む本発明の組成物の詳細及び好ましい実施形態を、さらに詳細に説明する。これらの技術的詳細及び実施形態は、本発明の乾燥配合物又は液体配合物、及び使用方法にも適用されることが、理解されるべきである。
【００２２】
発明の詳細な記述
２種以上の一般式（Ｉ）
【化２】
2020500252.tif 000003
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ２種以上の化合物はＲ及び／又はＧ１及び／又はｘが異なる）を含む組成物を提供する。
【００２３】
発明者は、驚くべきことに、２種以上の一般式（Ｉ）の化合物を含む前記組成物が、界面活性剤として高い効率を示し、よって界面活性剤として使用できることを見出した。さらに、２種以上の一般式（Ｉ）の化合物を含む前記組成物は、洗浄した布地の灰色化を低減し、よって抗灰色化剤として、特に洗濯処理において使用できることが見出された。
【００２４】
一般式（Ｉ）において、Ｒは非置換の直鎖Ｃ８〜Ｃ２０−アルキル、好ましくは非置換の直鎖Ｃ１０〜Ｃ２０−アルキル、より好ましくは非置換の直鎖Ｃ１０〜Ｃ１８−アルキル、最も好ましくは非置換の直鎖Ｃ１２〜Ｃ１８−アルキルである。例えば、Ｒは、非置換の直鎖Ｃ１２〜Ｃ１４−アルキルである。
【００２５】
Ｒは、好ましくは脂肪酸又はそのメチルエステルの水素化によって得られることが理解される。その方法は当該技術分野においてよく知られている。
【００２６】
本明細書で使用する用語「直鎖アルキル」は、飽和直鎖脂肪族基のラジカルである。「直鎖」という表現は、アルキル基の平均分岐数が、０．５を超えず、好ましくは０であることを意味することが意図される。
【００２７】
本明細書で使用する、分子鎖あたりの平均分岐数という表現は、１３Ｃ核磁気共鳴（１３Ｃ  ＮＭＲ）によって測定した、対応する分岐アルキルに対応するアルコール分子あたりの平均分岐数を指す。鎖中の平均炭素原子数はガスクロマトグラフィーにより決定される。
【００２８】
本明細書及び特許請求の範囲を通して、所与の炭素位置での分岐のパーセンテージ、分岐の種類に基づく分岐のパーセンテージ、平均分岐数、及び四級原子のパーセンテージについて、様々な言及がなされるであろう。これらの量は、以下の３つの１３Ｃ−ＮＭＲ技法の組み合わせを使用して、測定及び決定されるべきである。
【００２９】
（１）第１は、４５度チップ１３Ｃパルス及び１０秒の再循環遅延を使用した標準逆ゲート技法である（定量結果を確実にするために、重水素化クロロホルム中の分岐アルコール溶液に有機フリーラジカル緩和剤が添加されている）。（２）第２は、８ミリ秒の１／Ｊ遅延（Ｊは、これらの脂肪族アルコールの炭素とプロトンとの間の結合定数で、１２５Ｈｚである）を使用した、Ｊ−変調スピンエコーＮＭＲ技法（ＪＭＳＥ）である。このシーケンスは、奇数のプロトンを有する炭素と、偶数のプロトンを有するものとを、すなわち、ＣＨ３／ＣＨとＣＨ２／Ｃｑ（Ｃｑは第四級炭素を指す）とを区別する。（３）第３は、４ミリ秒の１／２Ｊ遅延を使用したＪＭＳＥ  ＮＭＲ「ｑｕａｔｏｎｌｙ（第四級炭素のみ）」技法であり、第四級炭素のみからの信号を含有するスペクトルを生じる。第四級炭素原子を検出するためのＪＳＭＥ  ＮＭＲ  ｑｕａｔｏｎｌｙ技法は、０．３原子％という少量の第四級炭素原子の存在を検出するのに十分な感度を有する。ＪＳＭＥ  ＮＭＲのｑｕａｔｏｎｌｙスペクトルの結果から得られた結果を確認することを望む場合は、任意のさらなる段階として、ＤＥＰＴ−１３５ＮＭＲシーケンスを実施してもよい。ＤＥＰＴ−１３５ＮＭＲシーケンスは、真の第四級炭素とブレークスループロトン化炭素とを識別するのに非常に役立ち得る。これは、ＤＥＰＴ−１３５シーケンスが、ＪＭＳＥ「ｑｕａｔｏｎｌｙ」実験のものと「正反対」のスペクトルを生じるという事実による。後者が第四級炭素を除くすべての信号をゼロにするのに対し、ＤＥＰＴ−１３５は、もっぱら第四級炭素をゼロにする。従ってこの２つのスペクトルを組み合わせることは、ＪＭＳＥ「ｑｕａｔｏｎｌｙ」スペクトル中の非第四級炭素を見つけるのに非常に役立つ。しかし、本明細書全体を通して第四級炭素原子の存在または不存在に言及する場合は、ＪＳＭＥ  ＮＭＲのｑｕａｔｏｎｌｙ法により測定した第四級炭素の一定量又は不存在を意味する。任意に結果を確認することを望む場合も、ＤＥＰＴ−１３５技法を用いて、第四級炭素の存在及び量を確認する。
【００３０】
よって、本発明の組成物が、非置換の分岐Ｃ９〜Ｃ１５−アルキル、すなわち０．９を超える、例えば０．９〜３．５の平均分岐数を有するＣ９〜Ｃ１５−アルキルである少量のＲを含むことは、排除されない。例えば、２種以上の一般式（Ｉ）の化合物を含む組成物は、Ｒが非置換の分岐Ｃ９〜Ｃ１５−アルキルである１種以上の化合物を、組成物の総質量に対して≦１．０ｗｔ％の量で含む。
【００３１】
用語「非置換」は、直鎖アルキル基が置換基を含まない、すなわち直鎖アルキル基が炭素原子と水素原子のみからなることを意味する。
【００３２】
一実施形態では、組成物の２種以上の化合物は、Ｒが異なる。好ましくは、組成物は、Ｒが異なる一方でＧ１及びｘが同一である２種以上の一般式（Ｉ）の化合物の混合物を含む。組成物の２種以上の化合物のＲが異なる場合、Ｒは好ましくは炭素原子の数（すなわち長さ）が異なる。
【００３３】
例えば、組成物の２種以上の化合物が、炭素原子の数（すなわち長さ）において異なる場合、２種以上の化合物のうちの１つは、Ｒが非置換の直鎖Ｃ１２−アルキルである化合物であり、２種以上の化合物のうちの１つ以上の化合物は、Ｒが非置換の直鎖Ｃ８−アルキル、非置換の直鎖Ｃ１０−アルキル、非置換の直鎖Ｃ１４−アルキル、非置換の直鎖Ｃ１６−アルキル、非置換の直鎖Ｃ１８−アルキル及び／又は非置換の直鎖Ｃ２０−アルキルである化合物である。代替として、２種以上の化合物のうちの１つは、Ｒが非置換の直鎖Ｃ１４−アルキルである化合物であり、２種以上の化合物のうちの１つ以上の化合物は、Ｒが非置換の直鎖Ｃ８−アルキル、非置換の直鎖Ｃ１０−アルキル、非置換の直鎖Ｃ１２−アルキル、非置換の直鎖Ｃ１６−アルキル、非置換の直鎖Ｃ１８−アルキル及び／又は非置換の直鎖Ｃ２０−アルキルである化合物である。代替として、２種以上の化合物のうちの１つは、Ｒが非置換の直鎖Ｃ１６−アルキルである化合物であり、２種以上の化合物のうちの１つ以上の化合物は、Ｒが非置換の直鎖Ｃ８−アルキル、非置換の直鎖Ｃ１０−アルキル、非置換の直鎖Ｃ１２−アルキル、非置換の直鎖Ｃ１４−アルキル、非置換の直鎖Ｃ１８−アルキル及び／又は非置換の直鎖Ｃ２０−アルキルである化合物である。
【００３４】
好ましくは、組成物の２種以上の化合物は、Ｒが異なる。よって、Ｒは好ましくは異なる非置換の直鎖Ｃ８〜Ｃ２０−アルキルの混合物である。
【００３５】
例えば、Ｒは、非置換の直鎖Ｃ８〜Ｃ２０−アルキル、すなわち非置換の直鎖Ｃ８−アルキル、非置換の直鎖Ｃ１０−アルキル、非置換の直鎖Ｃ１２−アルキル、非置換の直鎖Ｃ１４−アルキル、非置換の直鎖Ｃ１６−アルキル、非置換の直鎖Ｃ１８−アルキル、及び非置換の直鎖Ｃ２０−アルキルの混合物である。好ましくは、Ｒは、非置換の直鎖Ｃ１０〜Ｃ２０−アルキル、すなわち非置換の直鎖Ｃ１０−アルキル、非置換の直鎖Ｃ１２−アルキル、非置換の直鎖Ｃ１４−アルキル、非置換の直鎖Ｃ１６−アルキル、非置換の直鎖Ｃ１−アルキル、及び非置換の直鎖Ｃ２０−アルキルの混合物である。より好ましくは、Ｒは、非置換の直鎖Ｃ１２〜Ｃ１８−アルキル、すなわち非置換の直鎖Ｃ１２−アルキル、非置換の直鎖Ｃ１４−アルキル、非置換の直鎖Ｃ１６−アルキル、及び非置換の直鎖Ｃ１８−アルキルの混合物である。最も好ましくは、Ｒは、非置換の直鎖Ｃ１２〜Ｃ１４−アルキル、すなわち非置換の直鎖Ｃ１２−アルキル、及び非置換の直鎖Ｃ１４−アルキルの混合物である。
【００３６】
一実施形態では、Ｒは、非置換の直鎖Ｃ１２−アルキル、非置換の直鎖Ｃ１４−アルキル、非置換の直鎖Ｃ１６−アルキル、及び非置換の直鎖Ｃ１８−アルキルの混合物である。代替として、Ｒは、非置換の直鎖Ｃ１２−アルキル及び非置換の直鎖Ｃ１４−アルキルの混合物である。
【００３７】
Ｒが異なる組成物の２種以上の化合物のそれぞれの量は、広範囲で変動し得ることが理解される。例えば、Ｒが非置換の直鎖Ｃ１２〜Ｃ１４−アルキルの混合物を含む場合、非置換の直鎖Ｃ１２−アルキルの、非置換の直鎖Ｃ１４−アルキルに対する比［Ｃ１２／Ｃ１４］は、６：１〜１：１、より好ましくは５：１〜２：１の範囲にあることが好ましい。
【００３８】
一実施形態では、Ｒが非置換の直鎖Ｃ１２−アルキルである一般式（Ｉ）の化合物の合計は、組成物において、組成物の全質量に対して、３５．０ｗｔ％以上、より好ましくは４０．０ｗｔ％以上、及び最も好ましくは４５．０ｗｔ％以上、例えば４５．０〜８０．０ｗｔ％又は４５．０〜７５．０ｗｔ％である。
【００３９】
追加として、又は代替として、Ｒが非置換の直鎖Ｃ１４−アルキルである一般式（Ｉ）の化合物の合計は、組成物において、組成物の全質量に対して、１０．０ｗｔ％以上、より好ましくは１２．０ｗｔ％以上、及び最も好ましくは１５．０ｗｔ％以上、例えば１５．０〜３５．０ｗｔ％又は１５．０〜３０．０ｗｔ％である。
【００４０】
追加として、又は代替として、Ｒが非置換の直鎖Ｃ１６−アルキルである一般式（Ｉ）の化合物の合計は、組成物において、組成物の全質量に対して、１８．０ｗｔ％以下、より好ましくは１６．０ｗｔ％以下、及び最も好ましくは１４．０ｗｔ％以下、例えば５．０〜１４．０ｗｔ％又は７．０〜１４．０ｗｔ％である。
【００４１】
追加として、又は代替として、Ｒが非置換の直鎖Ｃ１８−アルキルである一般式（Ｉ）の化合物の合計は、組成物において、組成物の全質量に対して、２６．０ｗｔ％以下、より好ましくは２４．０ｗｔ％以下、及び最も好ましくは２２．０ｗｔ％以下、例えば５．０〜２２．０ｗｔ％又は１０．０〜２２．０ｗｔ％である。
【００４２】
追加として、又は代替として、Ｒが非置換の直鎖Ｃ２０−アルキルである一般式（Ｉ）の化合物の合計は、組成物において、組成物の全質量に対して、１．５ｗｔ％以下、より好ましくは１．２ｗｔ％以下、及び最も好ましくは１．０ｗｔ％以下、例えば０．１〜１．０ｗｔ％又は０．２〜１．０ｗｔ％である。
【００４３】
追加として、又は代替として、Ｒが非置換の直鎖Ｃ１０−アルキルである一般式（Ｉ）の化合物の合計は、組成物において、組成物の全質量に対して、３．０ｗｔ％以下、より好ましくは２．５ｗｔ％以下、及び最も好ましくは２．０ｗｔ％以下、例えば０．１〜２．０ｗｔ％又は０．３〜２．０ｗｔ％である。
【００４４】
追加として、又は代替として、Ｒが非置換の直鎖Ｃ８−アルキルである一般式（Ｉ）の化合物の合計は、組成物において、組成物の全質量に対して、１．５ｗｔ％以下、より好ましくは１．２ｗｔ％以下、及び最も好ましくは１．０ｗｔ％以下、例えば０．１〜１．０ｗｔ％又は０．２〜１．０ｗｔ％である。
【００４５】
Ｒが非置換の直鎖Ｃ１２−アルキル及び非置換の直鎖Ｃ１４−アルキルである一般式（Ｉ）の化合物の合計が、組成物において、組成物の全質量に対して、４５．０ｗｔ％以上、より好ましくは５５．０ｗｔ％以上、及び最も好ましくは６０．０ｗｔ％以上、例えば６０．０〜１００．０ｗｔ％又は６０．０〜８５．０ｗｔ％であることが好ましい。
【００４６】
例えば、一般式（Ｉ）においてＲが非置換の直鎖Ｃ１２−アルキル及び非置換の直鎖Ｃ１４−アルキルの混合物である場合、Ｒが非置換の直鎖Ｃ１２−アルキル及び非置換の直鎖Ｃ１４−アルキルである一般式（Ｉ）の化合物の合計は、組成物において、組成物の全質量に対して、７５．０ｗｔ％以上、より好ましくは８０．０ｗｔ％以上、及び最も好ましくは８５．０ｗｔ％以上、例えば８５．０〜１００．０ｗｔ％又は８５．０〜９７．０ｗｔ％である。この実施形態では、組成物中１００．０ｗｔ％までの残量は一般式（Ｉ）の化合物で構成され、ここでＲは、非置換の直鎖Ｃ１２−アルキル及び非置換の直鎖Ｃ１４−アルキルとは異なり、例えば非置換の直鎖Ｃ１０−アルキル及び／又は非置換の直鎖Ｃ１６−アルキル及び／又は非置換の直鎖Ｃ１８−アルキルである。
【００４７】
代替として、Ｒが非置換の直鎖Ｃ１２−アルキル、非置換の直鎖Ｃ１４−アルキル、非置換の直鎖Ｃ１６−アルキル及び非置換の直鎖Ｃ１８−アルキルである一般式（Ｉ）の化合物の合計は、組成物において、組成物の全質量に対して、７０．０ｗｔ％を超え、より好ましくは７５．０ｗｔ％を超え、及び最も好ましくは８０．０ｗｔ％を超え、例えば８０．０〜１００．０ｗｔ％又は８０．０〜９６．０ｗｔ％である。この実施形態では、組成物中１００．０ｗｔ％までの残量は、一般式（Ｉ）の化合物で構成され、ここでＲは、非置換の直鎖Ｃ１２−アルキル、非置換の直鎖Ｃ１４−アルキル、非置換の直鎖Ｃ１６−アルキル及び非置換の直鎖Ｃ１８−アルキルとは異なり、例えば非置換の直鎖Ｃ８−アルキル及び／又は非置換の直鎖Ｃ２０−アルキルである。
【００４８】
２種以上の一般式（Ｉ）の化合物は、当該技術分野でよく知られた方法、例えばアルコールの混合物の対応するグリコシル化によって、得ることができる。
【００４９】
一般式（Ｉ）において、Ｇ１はグルコース、アラビノース、ラムノース、キシロース及びそれらの混合物から選択される。好ましくは、一般式（Ｉ）におけるＧ１は、グルコース、アラビノース、ラムノース、キシロース及びそれらの混合物からなる群から選択される。これら単糖類は、天然物から合成され得、又は天然物に由来し得、又は天然物から分離され得、以下、簡易に天然糖又は天然多糖と称し、天然糖、天然多糖が好ましい。単糖類は、その任意の鏡像異性体、天然に生じる鏡像異性体から選択することができ、鏡像異性体の天然に生じる混合物が好ましい。天然には、ある特定の分子においてのみＧ１の基全体が生じ得る。
【００５０】
よって、一般式（Ｉ）におけるＧ１がグルコースである場合、Ｇ１は、Ｄ−グルコース、Ｌ−グルコース及びそれらの混合物、好ましくはＤ−グルコースであり得る。一般式（Ｉ）におけるＧ１がアラビノースである場合、Ｇ１は、Ｄ−アラビノース、Ｌ−アラビノース及びそれらの混合物、好ましくはＬ−アラビノースであり得る。一般式（Ｉ）におけるＧ１がキシロースである場合、Ｇ１は、Ｄ−キシロース、Ｌ−キシロース及びそれらの混合物、好ましくはＤ−キシロースであり得る。一般式（Ｉ）におけるＧ１がラムノースである場合、Ｇ１は、Ｄ−ラムノース、Ｌ−ラムノース及びそれらの混合物、好ましくはＬ−ラムノースであり得る。
【００５１】
一実施形態では、一般式（Ｉ）におけるＧ１は、アラビノース、好ましくはＤ−アラビノース、ラムノース、好ましくはＬ−ラムノース、キシロース、好ましくはＤ−キシロース、及び前述のものの混合物からなる群から選択される。好ましくは、一般式（Ｉ）におけるＧ１は、アラビノース、好ましくはＤ−アラビノース、ラムノース、好ましくはＬ−ラムノース、及び前述のものの混合物からなる群から選択される。最も好ましくは、一般式（Ｉ）におけるＧ１は、アラビノース、好ましくはＤ−アラビノースである。
【００５２】
一実施形態では、Ｇ１は、アラビノース、ラムノース、キシロース、及びそれらの混合物から選択される。好ましくは、Ｇ１は、アラビノース、ラムノース、及びキシロースから選択される。この実施形態では、一般式（Ｉ）におけるＧ１は、好ましくはグルコースを含まない。すなわち、一般式（Ｉ）におけるＧ１は、好ましくはＤ−グルコース及び／又はＬ−グルコースを含まない。
【００５３】
一実施形態では、Ｇ１はグルコース、アラビノース、ラムノース、キシロース及びそれらの混合物から選択され、これらはバイオマス源の発酵処理から得られる。バイオマス源は、マツ材、ブナ材、麦わら、穀物わら、スイッチグラス、亜麻、オオムギ殻、オートムギ殻、バガス、ススキ等を含む群から選択され得る。
【００５４】
よって、Ｇ１はグルコース及び／又はアラビノース及び／又はラムノース及び／又はキシロースの混合物を含み得ることが理解される。
【００５５】
好ましい混合物は、アラビノースとキシロースとの混合物、又はアラビノースとラムノースとの混合物、又はキシロースとラムノースとの混合物、又はアラビノースとラムノースとキシロースとの混合物、又はグルコースとアラビノースとキシロースとの混合物を含むが、これらに限定されない。
【００５６】
混合物がキシロースとアラビノースとの混合物を含む場合、キシロースのアラビノースに対する質量比は、使用するバイオマス源に応じて広範囲で変動し得る。例えば、混合物がキシロースとアラビノースとの混合物を含む場合、混合物中のキシロースのアラビノースに対する質量比（キシロース［ｗｔ％］／アラビノース［ｗｔ％］）は、好ましくは１５０：１〜１：１０、より好ましくは１００：１〜１：５、さらにより好ましくは９０：１〜１：２、最も好ましくは８０：１〜１：１である。
【００５７】
混合物がキシロースとラムノースとの混合物を含む場合、キシロースのラムノースに対する質量比は、使用するバイオマス源に応じて広範囲で変動し得る。例えば、混合物がキシロースとラムノースとの混合物を含む場合、混合物中のキシロースのラムノースに対する質量比（キシロース［ｗｔ％］／ラムノース［ｗｔ％］）は、好ましくは１５０：１〜１：１０、より好ましくは１００：１〜１：５、さらにより好ましくは９０：１〜１：２、最も好ましくは８０：１〜１：１である。
【００５８】
混合物がアラビノースとラムノースとの混合物を含む場合、混合物中のアラビノースのラムノースに対する質量比（アラビノース［ｗｔ％］／ラムノース［ｗｔ％］）は、好ましくは１５０：１〜１：１０、より好ましくは１００：１〜１：５、さらにより好ましくは９０：１〜１：２、最も好ましくは８０：１〜１：１である。
【００５９】
混合物がアラビノースとラムノースとキシロースとの混合物を含む場合、アラビノース対ラムノース対キシロースに対する質量比は、使用するバイオマス源に応じて広範囲で変動し得る。例えば、混合物がアラビノースとラムノースとキシロースとの混合物を含む場合、混合物中のキシロースのアラビノースに対する質量比（キシロース［ｗｔ％］／アラビノース［ｗｔ％］）は、好ましくは１５０：１〜１：１０、より好ましくは１００：１〜１：５、さらにより好ましくは９０：１〜１：２、最も好ましくは８０：１〜１：１である。追加として、又は代替として、混合物中のアラビノースのラムノースに対する質量比（アラビノース［ｗｔ％］／ラムノース［ｗｔ％］）は、好ましくは１５０：１〜１：２０、より好ましくは１２０：１〜１：１５、さらにより好ましくは１００：１〜１：１０、最も好ましくは８０：１〜１：８である。追加として、又は代替として、混合物中のキシロースのラムノースに対する質量比（キシロース［ｗｔ％］／ラムノース［ｗｔ％］）は、好ましくは１５０：１〜１：２０、より好ましくは１２０：１〜１：１５、さらにより好ましくは１００：１〜１：１０、最も好ましくは８０：１〜１：８である。
【００６０】
混合物がグルコースとアラビノースとキシロースとの混合物を含む場合、グルコース対アラビノース対キシロースに対する質量比は、使用するバイオマス源に応じて広範囲で変動し得る。例えば、５個又は６個の炭素原子を有する単糖類の混合物がグルコースとキシロースとアラビノースとの混合物を含む場合、混合物中のグルコースのアラビノースに対する質量比（グルコース［ｗｔ％］／アラビノース［ｗｔ％］）は、好ましくは２２０：１〜１：２０、より好ましくは２００：１〜１：１５、さらにより好ましくは１９０：１〜１：１０、最も好ましくは１８０：１〜１：８である。追加として、又は代替として、混合物中のキシロースのアラビノースに対する質量比（キシロース［ｗｔ％］／アラビノース［ｗｔ％］）は、好ましくは１５０：１〜１：２０、より好ましくは１２０：１〜１：１５、さらにより好ましくは１００：１〜１：１０、最も好ましくは８０：１〜１：８である。追加として、又は代替として、混合物中のグルコースのキシロースに対する質量比（グルコース［ｗｔ％］／キシロース［ｗｔ％］）は、好ましくは１５０：１〜１：２０、より好ましくは１２０：１〜１：１５、さらにより好ましくは１００：１〜１：１０、最も好ましくは８０：１〜１：８である。
【００６１】
一実施形態では、特にＧ１をバイオマス源の発酵処理から得る場合、Ｇ１はグルコース、アラビノース、ラムノース及び／又はキシロースとは異なる単糖類を少量含み得る。
【００６２】
好ましくは、Ｇ１は、単糖類の全質量に対して１０ｗｔ％以下、より好ましくは５ｗｔ％以下の、グルコース、アラビノース、ラムノース及び／又はキシロースとは異なる単糖類を含む。すなわち、Ｇ１は、単糖類の全質量に対して９０ｗｔ％以上、より好ましくは９５ｗｔ％以上の、グルコース及び／又はアラビノース及び／又はラムノース及び／又はキシロースを含む。
【００６３】
一般式（Ｉ）において、ｘ（重合度（ＤＰ）とも呼ぶ）は１〜１０の範囲にあり、好ましくはｘは１．０５〜２．５の範囲にあり、最も好ましくはｘは１．１０〜１．８、例えば１．１〜１．４の範囲にある。本発明において、ｘは平均値を指し、且つｘは必ずしも整数ではない。ある特定の分子においてのみＧ１の基全体が生じ得る。ｘは、高温ガスクロマトグラフィー（ＨＴＧＣ）により、例えば４００℃で、Ｋ．Ｈｉｌｌら、Ａｌｋｙｌ  Ｐｏｌｙｇｌｙｃｏｓｉｄｅｓ、ＶＣＨ  Ｗｅｉｎｈｅｉｍ、ニューヨーク、バーゼル、ケンブリッジ、東京、１９９７年の特に２８ページ以降に従って、又はＨＰＬＣによって、決定することが好ましい。ＨＰＬＣ法では、ｘはＦｌｏｒｙ法によって決定し得る。ＨＰＬＣ及びＨＴＧＣによって得た値が異なる場合、ＨＴＧＣに基づく値が好ましい。
【００６４】
よって、２種以上の一般式（Ｉ）
【化３】
2020500252.tif 000004
の化合物を含む組成物において、
Ｒは、非置換の直鎖Ｃ１０〜Ｃ２０−アルキルであり、好ましくは非置換の直鎖Ｃ１０〜Ｃ１８−アルキルであり、Ｇ１はアラビノース及び／又はラムノースであり、ｘは１．０５〜２．５の範囲にあることが好ましい。
【００６５】
代替として、２種以上の一般式（Ｉ）
【化４】
2020500252.tif 000005
の化合物を含む組成物において、
Ｒは、非置換の直鎖Ｃ１０〜Ｃ２０−アルキルであり、好ましくは非置換の直鎖Ｃ１０〜Ｃ１８−アルキルであり、Ｇ１はグルコース、アラビノース及びキシロースの混合物であり、ｘは１．０５〜２．５の範囲にある。
【００６６】
好ましくは、２種以上の一般式（Ｉ）
【化５】
2020500252.tif 000006
の化合物を含む組成物において、
Ｒは、非置換の直鎖Ｃ１２〜Ｃ１８−アルキルであり、好ましくは非置換の直鎖Ｃ１２〜Ｃ１６−アルキルであり、最も好ましくは非置換の直鎖Ｃ１２〜Ｃ１４−アルキルであり、Ｇ１はアラビノース及び／又はラムノースであり、ｘは１．１０〜１．８の範囲にある。
【００６７】
代替として、２種以上の一般式（Ｉ）
【化６】
2020500252.tif 000007
の化合物を含む組成物において、
Ｒは、非置換の直鎖Ｃ１２〜Ｃ１８−アルキルであり、好ましくは非置換の直鎖Ｃ１２〜Ｃ１６−アルキルであり、最も好ましくは非置換の直鎖Ｃ１２〜Ｃ１４−アルキルであり、Ｇ１はグルコース、アラビノース及びキシロースの混合物であり、ｘは１．１０〜１．８の範囲にある。
【００６８】
より好ましくは、２種以上の一般式（Ｉ）
【化７】
2020500252.tif 000008
の化合物を含む組成物において、
Ｒは、非置換の直鎖Ｃ１２−アルキル及びＣ１４−アルキルの混合物であり、Ｇ１はアラビノースであり、ｘは１．１０〜１．８の範囲にある。
【００６９】
代替として、２種以上の一般式（Ｉ）
【化８】
2020500252.tif 000009
の化合物を含む組成物において、
Ｒは、非置換の直鎖Ｃ１２−アルキル、Ｃ１４−アルキル、Ｃ１６−アルキル及びＣ１８−アルキルの混合物であり、Ｇ１はアラビノースであり、ｘは１．１０〜１．８の範囲にある。
【００７０】
２種以上の一般式（Ｉ）の化合物が、組成物中に提供されることが理解される。
【００７１】
組成物が、２種以上の一般式（Ｉ）の化合物を含む、好ましくはそれらからなる場合、組成物中に存在する２種以上の化合物は、一般式（Ｉ）中の基Ｒ及び／又はＧ１及び／又はｘが異なる。すなわち、基Ｒ及び／又はＧ１及び／又はｘは、互いに独立して選択することができる。
【００７２】
例えば、組成物が、２種以上の一般式（Ｉ）の化合物を含む、好ましくはそれらからなる場合、Ｒは非置換の直鎖Ｃ８〜Ｃ２０−アルキル、好ましくは非置換の直鎖Ｃ１０〜Ｃ２０−アルキル、より好ましくは非置換の直鎖Ｃ１０〜Ｃ１８−アルキル、さらにより好ましくは非置換の直鎖Ｃ１２〜Ｃ１８−アルキル、最も好ましくは非置換の直鎖Ｃ１２−アルキル、Ｃ１４−アルキル、Ｃ１６−アルキル及びＣ１８−アルキルの混合物、又は非置換の直鎖Ｃ１２−アルキル及びＣ１４−アルキルの混合物から独立して選択され得、一方で一般式（Ｉ）におけるＧ１及びｘは、各化合物において同一である。代替として、ｘは１〜１０の範囲、好ましくは１．０５〜２．５の範囲、最も好ましくは１．１０〜１．８の範囲から独立して選択され得、一方で一般式（Ｉ）におけるＲ及びＧ１は各化合物において同一である。代替として、Ｇ１は、アラビノース、ラムノース、キシロース及びそれらの混合物から独立して選択され得、一方で一般式（Ｉ）におけるＲ及びｘは各化合物において同一である。
【００７３】
好ましくは、２種以上の一般式（Ｉ）の化合物は、Ｒが異なる。より好ましくは、２種以上の一般式（Ｉ）の化合物はＲが異なり、一方でＧ１及びｘは同一である。
【００７４】
一般式（Ｉ）の化合物は、アルファ及び／又はベータ立体配座で存在できることが理解される。例えば、一般式（Ｉ）の化合物は、アルファ又はベータ立体配座、好ましくはアルファ立体配座にある。代替として、一般式（Ｉ）の化合物は、アルファ及びベータ立体配座にある。
【００７５】
一般式（Ｉ）の化合物がアルファ及びベータ立体配座にある場合、一般式（Ｉ）の化合物は、アルファ及びベータ立体配座を、好ましくは１０：１〜１：１０、より好ましくは１０：１〜１：５、さらにより好ましくは１０：１〜１：４、最も好ましくは１０：１〜１：３、例えば約２：１〜１：２の比（α／β）で含むことが好ましい。
【００７６】
２種以上の一般式（Ｉ）の化合物を含む組成物は、好ましくは乾燥配合物又は液体配合物において使用することができる。
【００７７】
よって、本発明はさらなる態様において、２種以上の一般式（Ｉ）の化合物を含む組成物を含む乾燥配合物又は液体配合物に関する。
【００７８】
２種以上の一般式（Ｉ）の化合物を含む組成物に関して、前記組成物及びその実施形態をより詳細に定義する場合は、上記に提供したコメントを参照されたい。
【００７９】
例えば、乾燥配合物又は液体配合物は、乾燥洗浄配合物又は液体洗浄配合物である。
【００８０】
用語「洗浄」は、本明細書において最も広い意味で使用され、洗浄に付する対象物、例えば布地又は食器から、油及び／又は脂肪含有物質などの所望されない物質を除去することを意味する。
【００８１】
本明細書で使用する「乾燥配合物」という用語は、粉末、顆粒又は錠剤の形態の配合物を指す。「乾燥配合物」は、配合物の全質量に対して、２０ｗｔ％以下の、より好ましくは１５ｗｔ％以下の、さらにより好ましくは１０ｗｔ％以下の、最も好ましくは７．５ｗｔ％以下の水分含量を有すると理解される。他に記載がない場合は、水分含量は、ＤＩＮ  ＥＮ  １３２６７：２００１に概説されているＫａｒｌ  Ｆｉｓｃｈｅｒ法に従って決定する。乾燥配合物が粉末の形態で提供される場合、配合物は好ましくは６００ｇ／ｌを超える嵩密度を有する高濃度の粉末配合物である。
【００８２】
本明細書で使用する「液体配合物」という用語は、「注ぐことができる液体」、「ゲル」又は「ペースト」の形態の配合物を指す。
【００８３】
「注ぐことができる液体」とは、２５℃における２０秒−１の剪断速度で、３０００ｍＰａ・ｓ未満の粘度を有する液体配合物を指す。例えば、注ぐことができる液体は、２５℃における２０秒−１の剪断速度で、２００〜２０００ｍＰａ・ｓの、好ましくは２００〜１５００ｍＰａ・ｓの、最も好ましくは２００〜１０００ｍＰａ・ｓの範囲の粘度を有する。
【００８４】
「ゲル」とは、２５℃における２０秒−１の剪断速度で、２０００ｍＰａ・ｓより大きい粘度を有する透明又は半透明の液体配合物を指す。例えば、ゲルは、０．１秒−１の剪断速度で、２０００〜約１００００ｍＰａ．ｓの、好ましくは５０００〜１００００ｍＰａ．ｓの範囲の粘度を有する。
【００８５】
「ペースト」とは、２５℃における２０秒−１の剪断速度で、約２０００ｍＰａ・ｓを超える粘度を有する不透明な液体配合物を指す。例えば、ペーストは、２５℃における０．１秒−１の剪断速度で、３０００〜１００００ｍＰａ・ｓの、好ましくは５０００〜１００００ｍＰａ・ｓの範囲の粘度を有する。
【００８６】
好ましくは、乾燥配合物又は液体配合物、より好ましくは乾燥洗浄配合物又は液体洗浄配合物は、液体配合物の形態である。乾燥配合物又は液体配合物は、好ましくは単回用量の配合物の形態である。
【００８７】
乾燥配合物又は液体配合物、好ましくは乾燥洗浄配合物又は液体洗浄配合物は、２種以上の一般式（Ｉ）の化合物を含む組成物を、配合物の全質量に対して好ましくは０．１〜８０ｗｔ％、好ましくは０．１〜５０ｗｔ％、最も好ましくは０．１〜２５ｗｔ％の範囲の量で含む。
【００８８】
乾燥配合物又は液体配合物、好ましくは乾燥洗浄配合物又は液体洗浄配合物は、調製される配合物の種類において典型的に使用される添加剤を、さらに含み得ることが理解される。例えば、乾燥配合物又は液体配合物、好ましくは乾燥洗浄配合物又は液体洗浄配合物は、アニオン性界面活性剤、非イオン性界面活性剤、カチオン性界面活性剤、両性界面活性剤、酵素、漂白剤、過酸素化合物、蛍光増白剤、錯化剤、ポリマー、セッケン、シリコン系消泡剤、漂白剤、着色剤、染料移行防止剤及びそれらの混合物を含む群から選択される添加剤を、さらに含む。
【００８９】
乾燥配合物又は液体配合物、好ましくは乾燥洗浄配合物又は液体洗浄配合物に適したアニオン性界面活性剤は、複数の異なる種類のものであり得る。例えば、アニオン性界面活性剤は、アルカンスルホネート、オレフィンスルホネート、脂肪酸エステルスルホネート、特にメチルエステルスルホネート、アルキルホスホネート、アルキルエーテルホスホネート、サルコシネート、タウレート、アルキルエーテルカルボキシレート、脂肪酸イソチオネート、スルホスクシネート、Ｃ８〜Ｃ２２アルキルサルフェート、Ｃ８〜Ｃ２２アルキルアルコキシサルフェート、Ｃ１１〜Ｃ１３アルキルベンゼンスルホネート、Ｃ１２〜Ｃ２０メチルエステルスルホネート、Ｃ１２〜Ｃ１８脂肪酸セッケン及びそれらの混合物を含む群から選択することができる。
【００９０】
乾燥配合物又は液体配合物、好ましくは乾燥洗浄配合物又は液体洗浄配合物に適した非イオン性界面活性剤は、複数の異なる種類のものであり得る。例えば、非イオン性界面活性剤は、Ｃ８〜Ｃ２２アルキルエトキシレート、Ｃ６〜Ｃ１２アルキルフェノールアルコキシレート、好ましくはエトキシレート及び混合エトキシ／プロポキシ、Ｃ６〜Ｃ１２アルキルフェノールのブロックアルキレンオキシド縮合物、Ｃ８〜Ｃ２２アルカノールのアルキレンオキシド縮合物及びエチレンオキシド／プロピレンオキシドブロックポリマー、アルキル多糖類、アルキルポリグルコシド界面活性剤、アルコール１モル当たり５〜２０モルのエチレンオキシドを有するＣ１２〜Ｃ１５アルコールの縮合生成物、ポリヒドロキシ脂肪酸アミド、好ましくはＮ−メチルＮ−１−デオキシグルシチルココアミド又はＮ−メチルＮ−１−デオキシグルシチルオレアミド、及びそれらの混合物を含む群から選択することができる。一実施形態では、非イオン性界面活性剤は式Ｒ１（ＯＣ２Ｈ４）ｎＯＨであり得、式中、Ｒ１はＣ１０〜Ｃ１６アルキル基又はＣ８〜Ｃ１２アルキルフェニル基であり、ｎは３〜約８０である。
【００９１】
追加として、又は代替として、非イオン性界面活性剤は、ラムノリピド、ソホロリピド、グルコースリピド、セルロースリピド、トレハロースリピド、マンノシルエリスリトールリピド、リポペプチド及びそれらの混合物を含む群から選択される生物系界面活性剤であり得る。
【００９２】
好ましい非イオン性界面活性剤は、グルカミド、メチルエステルアルコキシレート、アルコキシル化アルコール、エチレンオキシド及びプロピレンオキシドのジブロック及びマルチブロックコポリマー、及びソルビタンとエチレンオキシド又はプロピレンオキシドとの反応生成物、アルキルポリグリコシド（ＡＰＧ）、ヒドロキシアルキル混合エーテル及びアミンオキシドである。
【００９３】
アルコキシル化アルコール及びアルコキシル化脂肪アルコールの好ましい例は、例えば、一般式（ＩＩＩ）
【化９】
2020500252.tif 000010
（式中、変数は次のように定義する：
Ｒ３は、分岐又は直鎖Ｃ８〜Ｃ２２−アルキル、例えばｎ−Ｃ８Ｈ１７、ｎ−Ｃ１０Ｈ２１、ｎ−Ｃ１２Ｈ２５、ｎ−Ｃ１４Ｈ２９、ｎ−Ｃ１６Ｈ３３又はｎ−Ｃ１８Ｈ３７から選択され、
Ｒ４は、Ｃ１〜Ｃ１０−アルキル、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１，２−ジメチルプロピル、イソアミル、ｎ−ヘキシル、イソヘキシル、ｓｅｃ−ヘキシル、ｎ−ヘプチル、ｎ−オクチル、２−エチルヘキシル、ｎ−ノニル、ｎ−デシル又はイソデシルから選択され、
Ｒ５は同一又は異なり、水素及び直鎖Ｃ１〜Ｃ１０−アルキルから選択され、好ましくは各場合とも同一でエチルであり、特に好ましくは水素又はメチルであり、
ｅ及びｆは、０〜３００の範囲にあり、ｅ及びｆの総計は少なくとも１、好ましくは３〜５０の範囲にある。好ましくは、ｅは１〜１００の範囲にあり、ｆは０〜３００の範囲にある）
の化合物である。
【００９４】
ｅ及びｆは、ランダムに又はブロックとして重合され得ることが理解される。
【００９５】
一実施形態では、一般式（ＩＩＩ）の化合物は、ブロックコポリマー又はランダムコポリマーであり得、ブロックコポリマーが好ましい。
【００９６】
他の好ましいアルコキシル化アルコールの例は、例えば、一般式（ＩＶ）
【化１０】
2020500252.tif 000011
（式中、変数は次のように定義する：
Ｒ６は同一又は異なり、水素及び直鎖Ｃ１〜Ｃ１０−アルキルから選択され、好ましくは各場合とも同一でエチルであり、特に好ましくは水素又はメチルであり、
Ｒ７は分岐又は直鎖Ｃ６〜Ｃ２０−アルキルから選択され、特にｎ−Ｃ８Ｈ１７、ｎ−Ｃ１０Ｈ２１、ｎ−Ｃ１２Ｈ２５、ｎ−Ｃ１３Ｈ２７、ｎ−Ｃ１５Ｈ３１、ｎ−Ｃ１４Ｈ２９、ｎ−Ｃ１６Ｈ３３、ｎ−Ｃ１８Ｈ３７であり、
ａは、０〜１０の、好ましくは１〜６の範囲の数であり、
ｂは、１〜８０の、好ましくは４〜２０の範囲の数であり、
ｄは、０〜５０の、好ましくは４〜２５の範囲の数である）
の化合物である。
【００９７】
ａ＋ｂ＋ｄの総計は、好ましくは５〜１００の範囲、さらにより好ましくは９〜５０の範囲にある。
【００９８】
一般式（ＩＩＩ）及び（ＩＶ）の化合物はブロックコポリマー又はランダムコポリマーであり得、ブロックコポリマーが好ましい。
【００９９】
さらなる適した非イオン性界面活性剤は、エチレンオキシド及びプロピレンオキシドから構成されるジブロック及びマルチブロックコポリマーから選択される。さらなる適した非イオン性界面活性剤は、エトキシル化又はプロポキシル化ソルビタンエステルから選択される。アミンオキシド又はアルキルポリグリコシド、特に直鎖Ｃ４〜Ｃ１６−アルキルポリグリコシド及び分岐Ｃ８〜Ｃ１４−アルキルポリグルコシド、例えば一般平均式（ＶＩ）
【化１１】
2020500252.tif 000012
（式中、
Ｒ８は、Ｃ１〜Ｃ４−アルキル、特にエチル、ｎ−プロピル又はイソプロピルであり、
Ｒ９は、−（ＣＨ２）２−Ｒ７であり、
Ｇ２は、４〜６個の炭素原子を有する単糖類から、特にグルコース及びキシロースから選択され、
ｓは、１．１〜４の範囲にあり、ｓは平均値である）
の化合物も同様に適している。
【０１００】
さらなる非イオン性界面活性剤の例は、一般式（ＶＩＩ）及び（ＶＩＩＩ）
【化１２】
2020500252.tif 000013
の化合物である。
【０１０１】
Ｒ７は、一般式（ＩＶ）で上述したように定義される。
【０１０２】
ＡＯは、一般式（ＩＩＩ）で上述したように基ｆに、又は一般式（ＩＶ）で上述したように基ａ又はｄに対応する。
【０１０３】
Ｒ１０は、分岐又は直鎖Ｃ８〜Ｃ１８−アルキルから選択される。
【０１０４】
Ａ３Ｏは、プロピレンオキシド及びブチレンオキシドから選択され、
ｗは、１５〜７０の、好ましくは３０〜５０の範囲の数であり、
ｗ１及びｗ３は、１〜５の範囲の数であり、
ｗ２は、１３〜３５の範囲の数である。
【０１０５】
適したさらなる非イオン性界面活性剤の概要は、参照により本明細書に組み込まれるＥＰ−Ａ０８５１０２３及びＤＥ−Ａ１９８１９１８７に見出すことができる。
【０１０６】
前述のものから選択される２種以上の異なる非イオン性界面活性剤の混合物も、存在し得る。
【０１０７】
乾燥配合物又は液体配合物、好ましくは乾燥洗浄配合物又は液体洗浄配合物に適したカチオン性界面活性剤は、複数の異なる種類のものであり得る。例えば、有用なカチオン性界面活性剤は、脂肪族アミン、第四級アンモニウム界面活性剤、イミダゾリン四級物質及びそれらの混合物から選択することができる。
【０１０８】
両性界面活性剤も、乾燥配合物又は液体配合物、好ましくは乾燥洗浄配合物又は液体洗浄配合物における使用に適しており、複数の異なる種類のものであり得る。例えば、両性界面活性剤は、脂肪族ラジカルが直鎖又は分岐鎖であり得る第二級又は第三級アミンの脂肪族誘導体及び／又は複素環式第二級又は第三級アミンの脂肪族誘導体から選択することができる。脂肪族置換基の１個は少なくとも８個の炭素原子、好ましくは８〜１８個の炭素原子を含有し、且つ少なくとも１個はアニオン性の水溶性化基、例えばカルボキシ基、スルホネート基又はサルフェート基を含有することが好ましい。
【０１０９】
本発明の乾燥配合物又は液体配合物、好ましくは乾燥洗浄配合物又は液体洗浄配合物は、例えばタンパク質系、炭水化物系又はトリグリセリド系の汚れの除去のための酵素も含み得る。例えば、適した酵素は、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、アミラーゼ、及びそれらの混合物を含む群から選択される。それらは、植物、動物、細菌、真菌及び酵母起源などの任意の適した起源のものであり得る。
【０１１０】
一実施形態では、乾燥配合物又は液体配合物、好ましくは乾燥洗浄配合物又は液体洗浄配合物は、プロテアーゼ、リパーゼ、クチナーゼ及び／又はセルラーゼのような従来の酵素とアミラーゼとを組み合わせた混合物を含む。
【０１１１】
ここで有用なプロテアーゼには、バチルス［例えばサブチリス（subtilis）、レンタス（lentus）、リケニフォルミス（licheniformis）、アミロリケファシエンス（amyloliquefaciens）（ＢＰＮ、ＢＰＮ’）、アルカロフィラス（alcalophilus）］由来のスブチリシン（subtilisins）のようなもの、例えばＮｏｖｏｚｙｍｅｓ社から入手可能な市販品、Ｅｓｐｅｒａｓｅ（登録商標）、Ａｌｃａｌａｓｅ（登録商標）、Ｅｖｅｒｌａｓｅ（登録商標）又はＳａｖｉｎａｓｅ（登録商標）が含まれる。アミラーゼ（α及び／又はβ）の市販品は、例えばＧｅｎｅｎｃｏｒ社からのＰｕｒａｆｅｃｔ  Ｏｘ  Ａｍ（登録商標）として、又はＮｏｖｏｚｙｍｅｓ社からのＴｅｒｍａｍｙｌ（登録商標）、Ｎａｔａｌａｓｅ（登録商標）、Ｂａｎ（登録商標）、Ｆｕｎｇａｍｙｌ（登録商標）及びＤｕｒａｍｙｌ（登録商標）として入手可能である。適したリパーゼには、シュードモナス及びクロモバクター群によって産生されるものが含まれる。リポラーゼ酵素は、ヒュミコララヌギノサ（Humicola lanuginosa）に由来し得、Ｎｏｖｏ社から市販されているか、又はＮｏｖｏｚｙｍｅｓ社からＬｉｐｏｌａｓｅ  Ｕｌｔｒａ（登録商標）、Ｌｉｐｏｐｒｉｍｅ（登録商標）及びＬｉｐｅｘ（登録商標）として入手可能である。クチナーゼ及びエステラーゼもまた適している。適したセルラーゼには、典型的に５〜１０のｐＨ最適値を有する細菌及び真菌の両方の種類が含まれる。例としては、ヒュミコラインソレンス（Humicola insolens）又はヒュミコラ株ＤＳＭｌ８００由来の真菌セルラーゼ又はアエロモナス（Aeromonas）属に属するセルラーゼ２１２産生真菌、及び海洋軟体動物Ｄｏｌａｂｅｌｌａ  Ａｕｒｉｃｕｌａ  Ｓｏｌａｎｄｅｒの肝膵臓から抽出されるセルラーゼが含まれる。Ｎｏｖｏｚｙｍｅｓ社のＣＡＲＥＺＹＭＥ（登録商標）ＥＮＤＯＬＡＳＥ及びＣＥＬＬＵＺＹＭＥ（登録商標）又はトリコデルマ・ロンギブラキアタム（Trichoderma longibrachiatum）のＥＧＩＩＩセルラーゼもまた適している。
【０１１２】
漂白酵素は、漂白剤として使用することができる。例えばペルオキシダーゼ、ラッカーゼ、オキシゲナーゼ、例えばカテコール１，２ジオキシゲナーゼ、リポキシゲナーゼ、（非ヘム）ハロペルオキシダーゼである。
【０１１３】
本発明の乾燥配合物又は液体配合物、好ましくは乾燥洗浄配合物又は液体洗浄配合物に使用することができる過酸素化合物は通常、水溶液中で過酸化水素を生成することができる化合物であり、当該技術分野においてよく知られている。例えば、過酸素化合物は、アルカリ金属過酸化物、有機過酸化物、例えば過酸化尿素、及び無機過酸塩、例えばアルカリ金属過ホウ酸塩、例えば過ホウ酸ナトリウム四水和物又は過ホウ酸ナトリウム一水和物、過炭酸塩、過リン酸塩、過ケイ酸塩、アルキルヒドロキシペルオキシド、例えばクメンヒドロペルオキシド又はｔ−ブチルヒドロペルオキシド、有機ペルオキシ酸、例えばモノペルオキシ酸（例えばペルオキシ−α−ナフトエ酸、ペルオキシラウリン酸、ペルオキシステアリン酸及びＮ，Ｎ−フタロイルアミノペルオキシカプロン酸（ＰＡＰ）、６−オクチルアミノ−６−オキソ−ペルオキシヘキサン酸、１，１２−ジペルオキシドデカン二酸（ＤＰＤＡ）、２−デシルペルオキシブタン−１，４−二酸又は４，４’−スルホニルビスペルオキシ安息香酸）及びそれらの混合物を含む群から選択することができる。
【０１１４】
蛍光増白剤は、蛍光を呈する任意の化合物を含み、紫外線を吸収して「青い」可視光として再放射する化合物を含む。特に、適した蛍光増白剤は、約２７５ｎｍ〜約４００ｎｍのスペクトルの紫外部分の光を吸収し、約４００ｎｍ〜約５００ｎｍのスペクトルの紫から紫−青の範囲の光を放射する。例えば、蛍光増白剤は、連続した共役二重結合の鎖を含有する。適した蛍光増白剤の例には、スチルベンの誘導体又は４，４’−ジアミノスチルベン、ビフェニル、５員複素環、例えばトリアゾール、オキサゾール、イミダゾールなど、又は６員複素環（例えばクマリン、ナフタルアミド、ｓ−トリアジンなど）が含まれる。カチオン性、アニオン性、非イオン性、両性及び双性イオン性蛍光増白剤は、本発明の乾燥配合物又は液体配合物、好ましくは乾燥洗浄配合物又は液体洗浄配合物に使用することができる。
【０１１５】
本発明の乾燥配合物又は液体配合物、好ましくは乾燥洗浄配合物又は液体洗浄配合物は、錯化剤、例えば鉄及びマンガン錯化剤も含み得る。そのような錯化剤は、アミノカルボキシレート、アミノホスホネート、多官能置換芳香族錯化剤及びそれらの混合物を含む群から選択することができる。適した錯化剤は、アミノカルボン酸のアルカリ金属塩から、及びクエン酸、酒石酸及び乳酸のアルカリ金属塩から選択される。アルカリ金属塩は、リチウム塩、ルビジウム塩、セシウム塩、カリウム塩及びナトリウム塩、及び前述のものの少なくとも２つの組み合わせから選択される。カリウム塩、及びカリウム塩とナトリウム塩からの組み合わせが好ましく、ナトリウム塩がさらにより好ましい。
【０１１６】
アミノカルボン酸の例は、イミノジコハク酸（ＩＤＳ）、エチレンジアミン四酢酸（ＥＤＴＡ）、ニトリロ三酢酸（ＮＴＡ）、メチルグリシン二酢酸（ＭＧＤＡ）及びグルタミン酸二酢酸（ＧＬＤＡ）である。
【０１１７】
本発明の一実施形態では、本発明による配合物は、少なくとも１種の有機錯化剤（有機コビルダー）、例えばＥＤＴＡ（Ｎ，Ｎ，Ｎ’，Ｎ’−エチレンジアミン四酢酸）、ＮＴＡ（Ｎ，Ｎ，Ｎ−ニトリロ三酢酸）、ＭＧＤＡ（２−メチルグリシン−Ｎ，Ｎ−二酢酸）、ＧＬＤＡ（グルタミン酸Ｎ，Ｎ−二酢酸）、及びホスホネート、例えば２−ホスホノ−１，２，４−ブタントリカルボン酸、アミノトリ（メチレンホスホン酸）、１−ヒドロキシエチレン（１，１−ジホスホン酸）（ＨＥＤＰ）、エチレンジアミンテトラメチレンホスホン酸、ヘキサメチレンジアミンテトラメチレンホスホン酸及びジエチレントリアミンペンタメチレンホスホン酸、及び各場合のそれぞれのアルカリ金属塩、特にそれぞれのナトリウム塩を含有することができる。ＨＥＤＰ、ＧＬＤＡ及びＭＧＤＡのナトリウム塩が好ましい。
【０１１８】
本発明の乾燥配合物又は液体配合物、好ましくは乾燥洗浄配合物又は液体洗浄配合物はまた、ポリマー、例えばポリカルボキシレートを含み得る。
【０１１９】
乾燥配合物又は液体配合物、好ましくは乾燥洗浄配合物又は液体洗浄配合物は、配合物中の活性物質の全質量に対して、１種以上の上記添加剤を（総計で）０．５〜２５ｗｔ％の、好ましくは０．５〜２０ｗｔ％の、最も好ましくは０．５〜１７．５ｗｔ％の範囲の量で含むことが好ましい。配合物中の活性物質の全質量（他に示さない限り）は、１種以上の添加剤及び一般式（Ｉ）の化合物、すなわち水を含まない全質量を指すことに留意されたい。
【０１２０】
２種以上の一般式（Ｉ）
【化１３】
2020500252.tif 000014
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ２種以上の化合物はＲ及び／又はＧ１及び／又はｘが異なる）を含む組成物は、界面活性剤として高い効率を示すことが理解される。
【０１２１】
よって、本発明の別の態様は、２種以上の一般式（Ｉ）
【化１４】
2020500252.tif 000015
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ２種以上の化合物はＲ及び／又はＧ１及び／又はｘが異なる）を含む組成物の、界面活性剤としての使用方法である。
【０１２２】
２種以上の一般式（Ｉ）の化合物を含む組成物に関して、前記組成物及びその実施形態をより詳細に定義する場合は、上記に提供したコメントを参照されたい。
【０１２３】
２種以上の一般式（Ｉ）の化合物を含む組成物の界面活性剤としての効率は、幅広い温度範囲に渡って達成可能であることが理解される。よって、２種以上の一般式（Ｉ）の化合物を含む組成物は、５〜１２０℃の範囲の温度で界面活性剤として使用することが好ましい。よって、２種以上の一般式（Ｉ）の化合物を含む組成物は、家庭用洗濯製品、産業用洗濯製品、手洗い食器洗いなどにおける界面活性剤として使用することが好ましく、家庭用洗濯製品が最も好ましい。
【０１２４】
好ましくは、２種以上の一般式（Ｉ）の化合物を含む組成物は、洗濯処理における界面活性剤として使用する。上記の観点から、洗濯処理は５〜１２０℃の範囲の温度で、好ましくは５〜１００℃の範囲の温度で実施することができる。
【０１２５】
２種以上の一般式（Ｉ）
【化１５】
2020500252.tif 000016
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ２種以上の化合物はＲ及び／又はＧ１及び／又はｘが異なる）を含む組成物は、洗濯処理において使用する場合、抗灰色化剤として並はずれた結果を示すことが理解される。
【０１２６】
よって、本発明のさらなる態様は、２種以上の一般式（Ｉ）
【化１６】
2020500252.tif 000017
の化合物（式中、Ｒは、非置換の直鎖Ｃ８〜Ｃ２０−アルキルであり、Ｇ１は、グルコース、アラビノース、ラムノース、キシロース及びそれらの混合物から選択され、ｘは、１〜１０の範囲にあって平均値を指し、且つ２種以上の化合物はＲ及び／又はＧ１及び／又はｘが異なる）を含む組成物の、洗濯処理における抗灰色化剤としての使用方法である。
【０１２７】
２種以上の一般式（Ｉ）の化合物を含む組成物に関して、前記組成物及びその実施形態をより詳細に定義する場合は、上記に提供したコメントを参照されたい。
【０１２８】
特に、２種以上の一般式（Ｉ）の化合物を含む組成物を抗灰色化剤として使用すると、洗浄した布地の灰色化が低減される。布地は、天然布地、合成布地及びそれらの混合物から選択され得る。例えば、天然布地は、綿、麻及び／又は絹布地であり得る。合成布地は、ポリエステル及び／又はポリアミド布地であり得る。混合された天然／合成布地は、例えばポリエステル／綿布地であり得る。
【０１２９】
２種以上の一般式（Ｉ）の化合物を含む組成物の抗灰色化性能は、幅広い温度範囲に渡って達成可能であることが理解される。よって、２種以上の一般式（Ｉ）の化合物を含む組成物は、５〜１２０℃の範囲の温度で抗灰色化剤として使用することが好ましい。この観点から、洗濯処理は５〜１２０℃の範囲の温度で、好ましくは５〜１００℃の範囲の温度で実施することができる。よって、２種以上の一般式（Ｉ）の化合物を含む組成物は、家庭用洗濯製品、産業用洗濯製品などにおける抗灰色化剤として使用することが好ましく、家庭用洗濯製品が最も好ましい。
【０１３０】
本発明の範囲及び関心は、本発明の或る実施形態を例示することを意図し、且つ非限定的である以下の実施例に基づいて、よりよく理解されるであろう。
【実施例】
【０１３１】
実施例１
２種以上の一般式（Ｉ）の化合物を含む組成物の界面活性剤としての効率を、ラウンダーオメーター（launder-o-meter）を使用し、先行技術の化合物と比較して実証した。
【０１３２】
２種以上の一般式（Ｉ）の化合物を含む選択された組成物の界面活性効率を、ラウンダーオメーターで以下のように決定した。
【０１３３】
複数の汚れ見本を、綿バラスト布地及び鋼球２０個と一緒に、ラウンダーオメーター中２５℃の水で２０分間、選択した２種以上の式（Ｉ）の化合物を含む組成物又は比較化合物を用いて洗浄した。使用した２種以上の化合物を含む組成物及び比較化合物の概要を、０．１ｇ／Ｌ及び１ｇ／Ｌの界面活性剤用量の場合について、表１ａ及び１ｂに示す。洗浄後に布地をすすぎ、脱水機にかけ、空気中で乾燥させた。
【０１３４】
【表１ａ】
2020500252.tif 000018
【０１３５】
【表１ｂ】
2020500252.tif 000019
【０１３６】
洗浄条件の概要を以下表２に示す。
【０１３７】
【表２】
2020500252.tif 000020
【０１３８】
界面活性剤としての効率は、洗浄前後の汚れた布地の反射率をＦａ．Ｄａｔａｃｏｌｏｒ社製の分光光度計（Ｅｌｒｅｐｈｏ２０００）を用いて４６０ｎｍで測定することによって決定した。値が大きいほど、性能が良い。結果の概要を上記表１ａ及び１ｂに示す。結果から、本発明の２種以上の一般式（Ｉ）の化合物を含む組成物が、従来技術の化合物と比較して、界面活性剤としての優れた効率を示すと考えられる。
【０１３９】
実施例２
２種以上の一般式（Ｉ）の化合物を含む組成物の優れた抗灰色化性能を、以下のように先行技術の化合物と比較して、ラウンダーオメーターで以下のように示した。
【０１４０】
複数の白色試験見本を、汚れた布地ＥＭＰＡ１０１／ＳＢＬ２００４及び鋼球２０個と一緒に４０℃の水で、２種以上の一般式（Ｉ）の化合物を含む選択された組成物又は比較化合物を用いて洗浄した。洗浄液のｐＨ値を８．０に調整した。使用した２種以上の化合物を含む組成物及び比較化合物の概要を、表３に示す。洗浄後、試験布地をすすいで脱水機にかけた。この洗浄周期を、新しい汚れた布地及び新しい洗浄液を用いて２回繰り返した。３回目の洗浄後、布地をすすぎ、脱水機にかけて空気中で乾燥させた。
【０１４１】
【表３】
2020500252.tif 000021
【０１４２】
洗浄条件の概要を以下表４に示す。
【０１４３】
【表４】
2020500252.tif 000022
【０１４４】
抗灰色化性能は、洗浄前後の汚れた布地の反射率をＦａ．Ｄａｔａｃｏｌｏｒ社製の分光光度計（Ｅｌｒｅｐｈｏ２０００）を用いて４６０ｎｍで測定することによって決定した。値が大きいほど、性能が良い。結果の概要を上記表３に示す。結果から、本発明の２種以上の一般式（Ｉ）の化合物を含む組成物が、従来技術の化合物と比較して優れた抗灰色化性能を示すと考えられる。
【国際調査報告】
2020500252.tif 000026
2020500252.tif 000027
2020500252.tif 000028